【手続補正書】
【提出日】令和3年3月4日(2021.3.4)
【手続補正１】
【補正対象書類名】明細書
【補正対象項目名】００８６
【補正方法】変更
【補正の内容】
【００８６】
開示の主題のいくつかの好適な実施形態では、多負荷リレー４００電気回路は、リレーコイルＬｒ３１０に基づく、Ｔｘ１００に面する分岐部と、負荷コイルに基づく、３つのデバイスに面する分岐部とを備えることができ、すべての分岐部が、相互に並列になって電気的に接続されている。各負荷コイル分岐部は、分岐部ごとに独立共振回路を形成するために、コンデンサ、１Ｌｒ３２１用１Ｃｒ３３１、２Ｌｒ３２２用２Ｃｒ３３２、およびＮＬｒ３２Ｎ用ＮＣｒ３３Ｎを備え、各負荷コイル分岐部はそれぞれ、充電スポット４２１、４２２、および４２Ｎ専用であり得る。
【手続補正２】
【補正対象書類名】明細書
【補正対象項目名】００８７
【補正方法】変更
【補正の内容】
【００８７】
Ｔｘ１００に面する（主）分岐部は、平行に接続された同調コンデンサＣｒｒ２３１および誘導子Ｌｒｒ３１１と共に、共振回路を形成する、リレーコイルＬｒ３１０コンデンサＣｒ２３０を備える。いくつかの例示的実施形態では、主分岐部と共に、各負荷コイル分岐部は、異なる共振周波数に同調され、したがって、Ｌｔ１１０と共に、異なるＪＲＦおよび異なるＯＰＦを生成する。このアーキテクチャに基づいて、Ｔｘ１００は、選ばれた負荷コイルのＭＲＦに近いけれども実質的には異なるＯＰＦで、選ばれた負荷コイルにエネルギーを送るために動作することができる。したがって、選ばれた負荷コイルに対して最大励起を作り出し、一方で、他の負荷コイルに対してはかなり低い励起を生成して、電力を伝送した。上記のアーキテクチャは、より大きい充電区域および多充電スポットを支援するための多負荷リレーをコスト効率良く実施することを可能にする。
【手続補正３】
【補正対象書類名】特許請求の範囲
【補正対象項目名】全文
【補正方法】変更
【補正の内容】
【特許請求の範囲】
【請求項１】
組込みコイルを有するデバイスに媒体を介して無線で充電するためのシステムであって、前記システムが、
前記デバイスの組込みコイルに電力を誘導的に伝送するように適合された少なくとも１つのリレーと、
前記デバイスに充電するために前記電力を前記少なくとも１つのリレーに誘導的に送信するように構成された送信器であって、前記送信器および前記少なくとも１つのリレーが、前記媒体によって隔てられており、前記少なくとも１つのリレーおよび前記送信器が、相互に向かい合っている、送信器と、
を備え、
前記送信器が、送信器コイルと、送信器共振回路を構成する送信器コンデンサとをさらに備え、前記少なくとも１つのリレーが、リレーコイルと、リレー共振回路を構成するリレーコンデンサとをさらに備え、前記送信器共振回路および前記リレー共振回路の両方のジョイント共振周波数（ＪＲＦ）が、主共振周波数（ＭＲＦ）を有しており、
前記送信器が、ある範囲の動作周波数（ＯＰＦ）の範囲から選択されたＯＰＦで動作し、前記範囲のＯＰＦが、前記ＭＲＦとは異なっている、システム。
【請求項２】
前記送信器コイルおよび前記リレーコイルが、相互に向かい合っており、前記送信器コイルおよび前記リレーコイルが、サイズにおいて等しく、かつ前記組込みコイルより大きい、請求項１に記載のシステム。
【請求項３】
前記送信器が、送信器電子回路およびフェライト層をさらに備え、前記フェライト層が、前記送信器コイルと前記送信器電子回路との間にバッファとして位置付けられ、前記送信器コイルが、前記媒体を介して前記少なくとも１つのリレーに面している、請求項１に記載のシステム。
【請求項４】
前記少なくとも１つのリレーが、開口を有するリレーフェライト層をさらに備え、前記リレーフェライト層が、前記デバイスに面する側にあるリレーコイル上にあり、前記開口の形状およびサイズが、前記組込みコイルのサイズに持続的に合致している、請求項３に記載のシステム。
【請求項５】
前記少なくとも１つのリレーが、前記リレーコイルに直列に接続されている第２のリレーコイルを備え、前記第２のリレーコイルの一方の側が、前記デバイスに面しており、前記第２のリレーコイルの第２の側が、第２のリレーフェライト層によって被覆されており、前記第２のリレーコイルが、前記組込みコイルより大きい、請求項３に記載のシステム。
【請求項６】
前記リレーコイルおよび前記第２のリレーコイルが、２つの平面上に配置される、請求項５に記載のシステム。
【請求項７】
前記少なくとも１つのリレーが、複数のデバイスを同時に充電するための複数の第２のリレーコイルをさらに備え、前記複数の第２のリレーコイルが、共振コンデンサをそれぞれ有し、それによって、前記リレー共振回路と全て並列に接続されている複数の負荷コイル共振回路を構成し、異なる共振周波数を有する各負荷コイルが、前記複数のデバイスのうちの１つのデバイスに充電するように適合されている、請求項６に記載のシステム。
【請求項８】
前記送信器電子回路が、前記ＯＰＦと、パルス幅変調（ＰＷＭ）信号による電力送信を制御するためのＯＰＦの範囲とを決定するように構成され、前記送信器電子回路が、前記デバイスと通信するように構成される、請求項７に記載のシステム。
【請求項９】
前記送信器が、交互的ＰＷＭ信号によって各負荷コイルへの電力送信を制御し、前記交互的ＰＷＭ信号が、タイムスロットで構成されており、前記タイムスロットのそれぞれが、特定の負荷コイルに専用に割り当てられており、各タイムスロットが、前記特定の負荷コイルのＰＷＭ信号で構成されている、請求項８に記載のシステム。
【請求項１０】
前記タイムスロットが、所要時間を有し、前記所要時間が、各デバイスの電力の必要性に基づいて決定され、前記電力の必要性が、前記複数のデバイスの各デバイスによって前記送信器に通信される、請求項９に記載のシステム。
【請求項１１】
前記送信器電子回路が、少なくとも２つのデバイスの間の通信が重複することを回避するために、前記複数のデバイスの通信を同期させるように構成される、請求項１０に記載のシステム。
【請求項１２】
前記送信器電子回路が、少なくとも２つの重なり合うデバイスのうちの１つに送給される電力を変更することによって前記複数のデバイスの通信を同期させるように構成される、請求項１１に記載のシステム。
【請求項１３】
前記送信器電子回路が、複数の組込みコイルの共振周波数の前後に調整されたフィルタを利用することによって、前記複数のデバイスの通信の間で同時に識別することができる、請求項１０に記載のシステム。
【請求項１４】
送信器と誘導的に結合することに従って、組込みコイルを有するデバイスに無線で充電するためのリレーであって、前記リレーが、
少なくとも１つのコイルおよび少なくとも１つのコンデンサを備えるリレー共振回路と、
を備え、
前記リレーが、媒体を通じて前記送信器の送信器共振回路から送信された電力を誘導的に受信し、前記デバイスの組込みコイルに前記電力を誘導的に伝送するように構成され、前記送信器が、前記送信器が、ある範囲の動作周波数（ＯＰＦ）の範囲から選択されたＯＰＦで動作し、
前記送信器および前記リレーが、前記媒体によって隔てられ、かつ相互に向かい合っており、
前記リレー共振回路および前記送信器共振回路のジョイント共振周波数（ＪＲＦ）が、主共振周波数（ＭＲＦ）を備え、前記範囲のＯＰＦが、前記ＭＲＦとは異なっている、リレー。
【請求項１５】
前記ＪＲＦが、Ｔｘ１００の所望される最大動作周波数より低い第２の範囲に調整されており、前記デバイスの組込みコイルの共振周波数より高い、請求項１４に記載のリレー。
【請求項１６】
前記リレーのエンクロージャが、前記媒体に固定される、請求項１４に記載のリレー。
【請求項１７】
前記リレー共振回路が、少なくとも２つのコイルおよび前記少なくとも１つのコンデンサを備える、請求項１４に記載のリレー。
【請求項１８】
前記リレーが、前記送信器から前記デバイスに前記電力を無線で送信するための中継器として作用する受動的な電子回路を備える、請求項１４に記載のリレー。